(57)【特許請求の範囲】
【請求項１】
米とぎ前の米を貯める米ホッパと、この米ホッパ内から一定量の米の計量を行う計量部と、この計量部で計量された米を収納し且つ内部に配設された回転体を回転させ除糠を行う米とぎ部と、この米とぎ部内から米排出を行う開閉自在な開口部と、前記米とぎ部の回転体の駆動を行う駆動装置と、米とぎしたい米量を設定米とぎ量として設定でき、その設定米とぎ量に達するまで計量、除糠、米排出を順番に行い排出後に再び計量に戻るように前記駆動装置を含む負荷を制御し運転を行う制御手段と、前記米とぎ部で米とぎされる米量を加算し加算米量を算出する加算手段と、米量を表示する表示手段とを備え、設定米とぎ量と設定米とぎ量と加算米量との差である残り米とぎ量を表示手段に表示するようにした米とぎ器。
【請求項２】
表示手段は、設定米とぎ量かまたは残り米とぎ量のどちらかを表示するようにし、設定中は設定米とぎ量を運転中は残り米とぎ量を表示するようにした請求項１記載の米とぎ器。
【請求項３】
切り替え手段を設け、表示手段はこの切り替え手段からの入力により運転中の表示内容を切り替え表示するようにした請求項２記載の米とぎ器。
【請求項４】
報知手段を設け、残り米とぎ量が０になると報知するようにした請求項１〜３のいずれか１項に記載の米とぎ器。
【請求項５】
表示手段は残り米とぎ量が０になると所定時間後、設定米とぎ量を表示するようにした請求項２記載の米とぎ器。
【発明の詳細な説明】
【０００１】
【発明の属する技術分野】
本発明は、主として家庭で使用される米とぎ器に関するものである。
【０００２】
【従来の技術】
水を使わず米とぎを行う米とぎ器の一例として、特願２０００−０４２５３５号に記載されたものがある。この種の米とぎ器では、米ホッパ、米とぎ部、糠吸引部、米受け、操作部、制御装置より構成されている。米ホッパはその下部に計量機能を有し、これにより計量された米はさらに下部にある米とぎ部に排出され、米とぎ部内に配設された回転体の羽根部材を回転駆動することで除糠を行い、除糠された米は米とぎ部に設けられた米排出開口を通じて、米受けに排出されるようになっている。また、そのとき除糠された糠は糠吸引部で吸引され、例えば掃除機の紙パックのような容器に貯められるようにしている。
【０００３】
操作部は、電源スイッチや精米量設定スイッチなどのスイッチの他に表示部が設置され、この操作部で設定された内容に従い制御装置は各種負荷を制御するようにしている。例えば、精米量設定スイッチで設定された合数に達するように、計量、除糠、米排出という一連の米とぎ作業を繰り返し行うようにしたものである。この米とぎ作業は、例えば０．５合ごとといったように一定米量単位で計量、除糠、米排出を行っていくものである。
【０００４】
【発明が解決しようとする課題】
しかしながら上記の構成では、米とぎ作業の進行状況がわからず、あと何合の米が米とぎされるのかがわからないという課題があった。
【０００５】
さらにその状況がわからないと、米ホッパ内に貯められている米がこの先足りるかどうかもわからない。米とぎ作業中に米ホッパ内の米が無くなってしまうと計量不足で正確な米とぎを行うことができないので、使用者は運転中米とぎ器の側から離れられず、米ホッパ内の米量を常に確認するという手間が発生する。
【０００６】
また、これは排出された米を受ける米受けの方にも言え、米受けに貯められる米容量は有限であるので、残りの米とぎ量がわからないと、この米受けが運転中にオーバーフローするかどうかの判断もできない。
【０００７】
本発明は上記課題を解決するもので、米とぎ作業が完了した量を加算してゆき、設定されてた米量との差を自動計算し、表示を行うことで、米とぎ作業の進行状況を使用者に知らせ、米ホッパ内の米不足や米受けのオーバーフローを防ぐことを目的としている。
【０００８】
【課題を解決するための手段】
上記目的を解決するために本発明の米とぎ器は、米とぎされる米量を加算し加算米量を算出する加算手段と、米量を表示する表示手段とを備え、この表示手段に設定米とぎ量と加算米量との差である残り米とぎ量表示するように構成したものである。
【０００９】
これにより、米とぎ作業の進行状況を使用者は把握できる効果が得られる。
【００１０】
【発明の実施の形態】
本発明の請求項１記載の発明は、米とぎ前の米を貯める米ホッパと、この米ホッパ内から一定量の米の計量を行う計量部と、この計量部で計量された米を収納し且つ内部に配設された回転体を回転させ除糠を行う米とぎ部と、この米とぎ部内から米排出を行う開閉自在な開口部と、前記米とぎ部の回転体の駆動を行う駆動装置と、米とぎしたい米量を設定米とぎ量として設定でき、その設定米とぎ量に達するまで計量、除糠、米排出を順番に行い排出後に再び計量に戻るように前記駆動装置を含む負荷を制御し運転を行う制御手段と、前記米とぎ部で米とぎされる米量を加算し加算米量を算出する加算手段と、米量を表示する表示手段とを備え、設定米とぎ量と設定米とぎ量と加算米量との差である残り米とぎ量を表示手段に表示するようにしたものであり、設定米とぎ量と残り米とぎ量を同時に表示できるものである。
【００１１】
請求項２に記載の発明は、表示手段は、設定米とぎ量かまたは残り米とぎ量のどちらかを表示するようにし、設定中は設定米とぎ量を運転中は残り米とぎ量を表示するようにしたものであり、設定米とぎ量かまたは残り米とぎ量のどちらかを設定中と運転中で切り替えて表示できるものである。
【００１２】
請求項３に記載の発明は、切り替え手段を設け、表示手段はこの切り替え手段からの入力により運転中の表示内容を切り替え表示するようにしたものであり、運転中での表示内容を任意に変更できるものである。
【００１３】
請求項４に記載の発明は、報知手段を設け、残り米とぎ量が０になると報知するようにしたものであり、残り米とぎ量がなくなったことを知らせることができるものである。
【００１４】
請求項５に記載の発明は、表示手段は残り米とぎ量が０になると所定時間後、設定米とぎ量を表示するようにしたものであり、残り米とぎ量の表示から再び設定米とぎ量の表示に自動的に変わるものである。
【００１５】
【実施例】
次に、本発明の具体例を説明する。
【００１６】
（実施例１）
以下、本発明の第１の実施例を図１〜図７を用いて説明する。
【００１７】
図１及び図２は本発明の米とぎ器の具体構成であり、本体１内は米ホッパ２、計量部３、米とぎ部４、駆動装置５０、米糠吸引部５、開口部４０、米受け６、表示操作部７とにより構成されている。
【００１８】
米ホッパ２は、米とぎ前の米を貯めるものであり、その底部は傾斜加工され、下部に配置された計量部３に米が集まるように配置されている。
【００１９】
計量部３は、図３で示すように、計量升９を上計量蓋８と下計量蓋１０で挟むように配置され、計量モータ１２が駆動するとギア１１を通して計量升９を回転する構成になっている。上計量蓋８には図４に示すように米供給口８ａが２カ所設けられている。さらに計量升９には、図５に示すように升部９ａが４カ所と非升部９ｅが４カ所設けられており、下計量部１０には図５に示すようにスリット１０ａが２カ所設けられている。米供給口８ａとスリット１０ａとは互いが垂直になるように上計量蓋８と下計量蓋１０を配置しているので、間に挟まれる計量升９が回転すると米供給口８ａの下に升部９ａが来るとその中に米ホッパ２からの米が供給され、逆に非升部９ｅが来ると米の供給が遮断される。そしてスリット１０ａ上に升部９ａが来ると升部９ａ内の米はスリット１０ａを通して下部に落下する。例えばここで、升部９ａの体積を０．５合の１／８になるようにしておくと、計量升９が一回転するとき升部９ａは米供給口８ａとスリット１０ａ上をそれぞれ２回通過するので、０．５合の計量が行えることになる。
【００２０】
米とぎ部４は、図３に示すように、小さな孔を有する除糠内容器１３、除糠外容器１４、羽根部材１５、回転軸１６により構成されている。除糠内容器１３は計量部３により計量された米を受ける部分であり、この内部には回転体である羽根部材１５と回転軸１６が配設されている。羽根部材１５は回転軸１６にとりつけられており、回転軸１６が回転するとき羽根部材１５も回転する。除糠内容器１３は小さな孔を有しているので、この羽根部材１５が回転するとき、内部に貯められた米は撹拌され、その表面に付着している糠は除去され除糠内容器１３外へと排出される。除糠内容器１３外には除糠外容器１４があるので、除糠内容器１３の糠はこの除糠外容器１４に排出される。
【００２１】
駆動装置５０はモータであり、ベルトやプーリーを介して回転軸１６を回転駆動させる。
【００２２】
米糠吸引部５は、除糠外容器１４に排出された糠を吸引し貯める役割をする。具体的には、除糠外容器１４に排出口を設け、その排出口から真空吸引を行い、除糠外容器１４内から糠を排出し、それを掃除機で使われるような紙パックに通し、糠を貯めていく。
【００２３】
開口部４０は、除糠内容器１３に取り付けられており、図３の開口弁１７とその開閉を行うソレイノイド１８により構成されている。羽根部材１５を回転していて、この開口弁１７が閉じている場合、前述の通り米の除糠を行うが、開いている場合、内部の米は遠心力で外側に集まるので除糠内容器１３外へと排出される。
【００２４】
米受け６は、開口部４０から排出される米を貯める容器である。
【００２５】
操作部７は、図６に示すようにＬＥＤ等の表示部や操作スイッチを有したもので、それらの信号を制御する制御装置を伴い構成されている。使用者はこの操作スイッチを操作することにより、制御装置に信号を与え、制御装置に設置されているマイクロコンピュータはあらかじめ設定されている工程プログラムにより駆動装置５０などの負荷を制御するようにしている。このようにマイクロコンピュータは制御手段の機能を有している。
【００２６】
さらにこのマイクロコンピュータの動作について、図６の操作部と図７のフローチャートを用いて説明する。図７のＳ１で使用者は合数設定スイッチ２７を使って０．５合単位で設定米とぎ量Ｓｇの設定を行い、合数表示ＬＥＤ２０にその値を表示する。設定が終わるとＳ２に進み、使用者はスタートスイッチ２８を操作し運転の開始を行う。Ｓ３では、加算米量である完了米とぎ量Ｎｇを０にする。Ｓ４では、設定米とぎ量Ｓｇと完了米とぎ量Ｎｇとの差である残り米とぎ量Ｎｏを求める。Ｓ３に続いてＳ４と至った場合、完了米とぎ量Ｎｇは０であるので、残り米とぎ量Ｎｏはすなわち設定米とぎ量Ｓｇと同一になる。Ｓ５では、この残り米とぎ量Ｎｏを合数表示ＬＥＤ３１に表示する。このように合数表示ＬＥＤ２０及び３１で表示手段を実現している。
【００２７】
そして、Ｓ６では、計量部３を動作させ０．５合の計量を行う。計量された米は米とぎ部４へ送られる。Ｓ７では、羽根部材１５を回転させ、除糠を行う。このとき糠吸引部５も同時に動作させ、糠の吸い込み除去も行い、吸い込まれた糠は紙パックに貯められていく。所定時間、羽根部材１５を回転させるとＳ８に進み、羽根部材１５を回転させたまま開口部４０を開き、米とぎ部４内の米を米受け６に排出する。Ｓ９では、加算米量である完了米とぎ量Ｎｇに０．５を加算する。このようにマイクロコンピュータで加算手段を実現している。そして、Ｓ１０では、このＮｇを判定し、設定米とぎ量Ｓｇと同一になったかを判定する。ここで、同一になっていなければＳ４に戻り、同一になっていれば次のＳ１１に進む。このようにＳ４〜Ｓ９の作業をＳｇ×２回だけ繰り返す動作をするので、例えば２．５合の設定米とぎ量ならば、０．５合の計量、除糠、そして米排出を２．５の２倍の５回繰り返すこととなる。そしてＳ１１ではＳ４と同じく残り米とぎ量Ｎｏを計算する。ここで、Ｓ１１はＳ１０の後に通るので、完了米とぎ量Ｎｇは設定米とぎ量Ｓｇと同一になっているので、結局Ｎｏは０となる。続くＳ１２で、残り米とぎ量Ｎｏの表示を行い、Ｓ１３で負荷の動作を止め、運転を完了する。
【００２８】
このように、設定米とぎ量を合数表示ＬＥＤ２０に表示するとともに運転が開始されると残り米とぎ量を合数表示ＬＥＤ３１に表示できる。例えば設定米とぎ量が２．５合である場合、運転開始とともに合数表示ＬＥＤ３１には残り米とぎ量として、「２．５」が表示され、計量、除糠、そして米排出が行われると「０．５」その値は減り、次は「２」が表示される。同様にして米排出が行われるたびに合数表示ＬＥＤ３１に表示される内容は減っていき、設定米とぎ量と同量の米が排出されると表示は「０」になり、運転は完了するものである。
【００２９】
（実施例２）
第２の実施例は、第１の実施例に係る米とぎ器において、設定米とぎ量かまたは残り米とぎ量のどちらかを表示するようにし、設定中は設定米とぎ量を運転中は残り米とぎ量を表示するようにしたものである。この第２の実施例のマイクロコンピュータの動作を図７及び、図８を用いて説明する。
【００３０】
図８は図６の操作部において合数表示ＬＥＤ３１が削除され、「設定」ＬＥＤ３２と「残り」ＬＥＤ３３が追加されたものである。設定米とぎ量の表示と残り米とぎ量の表示は合数表示ＬＥＤ２０に統合された。
【００３１】
図７において、第１の実施例との相違箇所を説明する。まず、Ｓ１で「設定」ＬＥＤ３２を点灯させるようにし、設定米とぎ量Ｓｇを合数表示ＬＥＤ２０に表示する。その後のＳ５では「設定」ＬＥＤ３２を消灯し「残り」ＬＥＤ３３を点灯させるようにし、各米とぎ量の表示が統合されたため、残り米とぎ量Ｎｏを設定米とぎ量Ｓｇにとって表示を替える。
【００３２】
このように、設定中は設定米とぎ量を表示でき、運転中は残り米とぎ量の表示に切り替えて表示できるものである。
【００３３】
（実施例３）
第３の実施例は、第２の実施例に係る米とぎ器において、切り替え手段を設け、表示内容を切り替えられるようにしたものである。この第３の実施例を図９を用いて説明する。
【００３４】
図９は図８の操作部において切り替え手段の具体例として表示切替えスイッチ３４を設けたものである。上記実施例では、設定中に設定米とぎ量を表示し、運転中に残り米とぎ量を表示するものであったが、ここで運転中の残り米とぎ量を表示しているときに、この表示切替えスイッチ３４を押すと、制御装置のマイクロコンピュータはそれを検知し、設定米とぎ量の表示に替える。
【００３５】
このように、運転中にも係わらず設定米とぎ量の表示も行えるものである。
【００３６】
（実施例４）
第４の実施例は、第２の実施例に係る米とぎ器において、報知手段を設け、残り米とぎ量の表示が０となると報知するようにしたものである。報知手段の具体例として、制御装置上にブザーを設けることとする。この第４の実施例のマイクロコンピュータの動作を図１０を用いて説明する。
【００３７】
図１０は第２の実施例でマイクロコンピュータの動作説明に用いた図７のフローチャートにＳ１４の処理を加えたものである。Ｓ１４はＳ１２での残り米とぎ量Ｎｏ表示後に挿入され、ここでブザーを報知するようにし、Ｓ１３へと進み運転を完了するようにしている。
【００３８】
このように、Ｓ１２では残り米とぎ量Ｎｏが０となっているので、その０を表示し且つブザー報知し運転を完了することとなる。ブザー報知は、残り米とぎ量が無くなったことを意味すると同時に運転の完了を使用者に知らせると言う意味も兼ねることとなる。
【００３９】
（実施例５）
第５の実施例は、第２の実施例に係る米とぎ器において、表示手段は残り米とぎ表示が０になって所定時間の後、設定米とぎ量の表示を行うようにしたものである。この第５の実施例のマイクロコンピュータの動作を図１１を用いて説明する。
【００４０】
図１１は第２の実施例でマイクロコンピュータの動作説明に用いた図７のフローチャートにＳ１５及び、Ｓ１６の処理を加えたものである。Ｓ１５はＳ１３の運転完了後に挿入され、所定時間のディレィを行う。ここでは具体的に５秒間のディレィを行うこととする。Ｓ１５の後、Ｓ１６に進み、ここでは合数表示ＬＥＤ２０に表示されている残り米とぎ量の表示を設定米とぎ量の表示に替える。
【００４１】
このように、運転完了から５秒間は残り米とぎ量の表示（すなわち０）を行い、その後設定米とぎ量の表示に替えることができるものである。
【００４２】
なお、ここでＳ１５でのディレィ時間を５秒としたが、もちろん０秒でも構わない。その場合、運転完了時に即表示が切り替わるものである。
【００４３】
【発明の効果】
以上のように、請求項１の発明によれば、設定米とぎ量を表示するとともに設定米とぎ量と加算米量との差である残り米とぎ量も表示でき、残り米とぎ量は米とぎがされるたびに減算されるので、あとどれだけ米とぎ量が残っているのか容易に把握できる。
【００４４】
また、請求項２の発明によれば、設定米とぎ量と残り米とぎ量が同じ表示手段に表示され、米とぎ器の稼働状態によってそれを切り替えて表示するので、表示手段の面積が減り、且つわかりやすい表示が行える。
【００４５】
また、請求項３の発明によれば、切り替え手段により表示内容を切り替えられるので、知りたい情報を選択し表示できる。
【００４６】
また、請求項４の発明によれば、残り米とぎ量が０になると、ブザー報知を行い、残り米とぎ量が無くなったことをお知らせするとともに、同時に運転の完了を使用者に知らせることができる。
【００４７】
また、請求項５の発明によれば、運転完了からしばらくすると残り米とぎ量表示から、設定米とぎ量表示に自動的に替わるので、使用者は運転完了時に自身が設定した米とぎ量を再び確認できる。
【図面の簡単な説明】
【図１】本発明の実施例を示す米とぎ器の断面図
【図２】本発明の実施例を示す米とぎ器の正面図
【図３】本発明の実施例を示す米とぎ器の米とぎ部周辺図
【図４】本発明の実施例を示す米とぎ器の上計量蓋の平面図
【図５】本発明の実施例を示す米とぎ器の計量升と下計量蓋の斜視図
【図６】本発明の実施例を示す米とぎ器の操作部の平面図
【図７】本発明の第１の実施例のフローチャート
【図８】本発明の第２の実施例を示す米とぎ器の操作部の平面図
【図９】本発明の第３の実施例を示す米とぎ器の操作部の平面図
【図１０】本発明の第４の実施例の米とぎ器のフローチャート
【図１１】本発明の第５の実施例の米とぎ器のフローチャート
【符号の説明】
２    米ホッパ
３    計量部
４    米とぎ部
５０  駆動装置
５    糠吸引部
６    米受け
７    操作部
４０  開口部
８    上計量蓋
９    計量升
１０  下計量蓋
１３  除糠内容器
１４  除糠外容器
１５  羽根部材
２０  合数表示ＬＥＤ
２７  合数設定スイッチ
２８  スタートスイッチ
３１  合数表示ＬＥＤ
３２  「設定」ＬＥＤ
３３  「残り」ＬＥＤ
【図１】
0004196044.tif 000002
【図２】
0004196044.tif 000003
【図３】
0004196044.tif 000004
【図４】
0004196044.tif 000005
【図５】
0004196044.tif 000006
【図６】
0004196044.tif 000007
【図７】
0004196044.tif 000008
【図８】
0004196044.tif 000009
【図９】
0004196044.tif 000010
【図１０】
0004196044.tif 000011
【図１１】
0004196044.tif 000012